(57)【要約】【課題】入賞（大当たり）でパチンコ玉箱を整然と座席近くに置けず、ポップスタンドも効果的にアピールできず、通行を邪魔し、足で玉箱を蹴ってパチンコ玉を撒き散らしたりし、パチンコ玉箱の運搬も身体への負荷が大きいなどの問題が指摘されていた。【解決手段】本発明は、狭いスペースを効果的に利用し、客も玉箱を近くに整然と置け、店側も入賞（大当たり）を十分に来場者にアピールでき、玉箱を運搬するにも収納台がそのまま運搬車としても使えるため、身体への負荷を軽減し、作業性を向上させる等のポップスタンド付玉箱収納台を提供する。【選択図】図１
2007014573.tif 000002
【特許請求の範囲】
【請求項１】
パチンコの遊戯機器から所定の入賞時に排出される出玉が収納される玉箱を積み重ねる収納台において、前記収納台は  各フレームで構成され、底部にキャスターを固設し、背面にポップスタンドを具備しコンパクトに構成されたことを特徴とするポップスタンド付玉箱収納台。
【請求項２】
請求項１記載の各フレームは嵌脱が可能でフレーム毎を嵌挿して組み上げることを特徴とするポップスタンド付玉箱収納台。
【請求項３】
請求項１記載の各フレームはフレーム毎を溶接やねじ止め等で結合して組み上げることを特徴とするポップスタンド付玉箱収納台。
【請求項４】
請求項１記載のポップスタンド（ホップ広告板とも言う）を挿入溝に差し込むことを特徴とするポップスタンド付玉箱収納台。
【請求項５】
請求項１記載の各フレームの一種類である１段フレームにアタッチメントを装着することで既存の玉箱台車の孔部に、前記アタッチメントの挿入部を嵌挿して組み上げ、挿入部の位置を変えることで各種の玉箱台車に対応できることを特徴とするポップスタンド付玉箱収納台。
【請求項６】
請求項１記載の各フレームのうち底部フレームと取手フレームの１段フレームや２段フレームの玉箱を載せる両アームには先端部にストッパーを固接したことを特徴とするポップスタンド付玉箱収納台。
【請求項７】
請求項１記載の各フレームのうち底部フレームと取手フレームの中間の第１フレームや第２フレームの玉箱を載せる両アーム間の位置は既存の玉箱を架置でき、前記両アームに玉箱の両把手を架置することを特徴とするポップスタンド付玉箱収納台。
【請求項８】
請求項１記載の底部フレームの底部にキャスターを固設したことで、各フレームの一種類の取手フレームを嵌挿して玉箱運搬台車として使用できることを特徴とするポップスタンド付玉箱収納台。
【請求項９】
請求項１記載のポップスタンド付玉箱収納台の材質は鉄やステンレスやアルミニューム等の金属類及び強化プラスチック等で製造し、赤色やその他の色で着色することを特徴とするポップスタンド付玉箱収納台。
【発明の詳細な説明】
【技術分野】
【０００１】
本発明は、パチンコの遊戯機器から所定の入賞時に排出される出玉が収納される玉箱を積み重ねる収納台に関する。
【背景技術】
【０００２】
パチンコ遊戯機器を用いて行われる遊戯において、所定の入賞時に排出される出玉は、数百個であれば、機器自身に設けられている玉受けに収納できるが、入賞の数が多くなると玉受けに収納し切れなくなり、その場合には、玉箱に移し替えることが行われ、玉箱を座席の横や近くの通路に置き、更に入賞回数が多くなったときには玉箱を上下方向に積み重ねて置かれることが多い。
【０００３】
パチンコの玉箱に関しては、一般的には遊戯台の入賞（大当たり）のパチンコ玉を収納できる分の玉数を入れられる箱となっている、玉箱の１箱で１８００個から２０００個を収納できる、店側は来店した客に入賞が多いことをアピールすることが客を呼び込む上で重要な営業手段であるため、以前は玉箱の１箱で２５００個から２０００個収納することができたが、近年は前記のように１箱の玉数を少なくして、玉箱を多く座席の近くに並べる方法が営業上重要であるとの考えになっている。
【０００４】
また玉箱は上下に立体的に置いたほうが来店者の目に入り易く効果が高い、更に効果を高めるために玉箱にポップスタンド（ホップ広告板とも言う）を差し込むなど入賞（大当たり）を来店者にアピールしている、入賞するとパチンコ玉を玉箱に収納して座席の横や近くの通路に置くが、営業上の理由により座席間は狭く通路も一人がやっと通れる程度で店舗設計がなされる場合が多い、そのため誤って玉箱を足で蹴ってフロアーにパチンコ玉を撒き散らすなどの不都合も生じている。
【０００５】
またパチンコ玉（１個約５ｇ）で２０００玉の収納では、その玉箱の重量は１箱で約１０ｋｇとなり、入賞回数の多い遊戯台では、その玉箱は複数個になりその総重量は相当なもので玉計数機が置いてあるカウンターまで運ぶのに困難を伴うため重量を有する玉箱の積み降ろしを客もしくは店の従業員両方の負担を軽くする玉箱置きを兼用した玉箱運搬台車などが実用に供されている。
【特許文献１】特開２００４−１６２６３号公報
【発明の開示】
【発明が解決しようとする課題】
【０００６】
従来は専用の玉箱収納台などは準備されず、入賞（大当たり）で空き箱が座席の近くに無くて機器自身に設けられている玉受けに収納し切れなくなり、玉があふれたり入賞（大当たり）を中断しなければならないなどの不都合や、玉箱に移し替えても座席の近くのフロアーに玉箱を横に並べたり、上下方向に積み重ねて置かれ、そのため通行に邪魔になり、空の玉箱を蹴散らしたり、玉の入った玉箱ではパチンコ玉を撒き散らしたりした、また狭い通路の間を、玉箱を運搬する負担は客や従業員にも大きく、更にポップスタンド（ホップ広告板とも言う）が玉箱から外れたりして、店側も入賞（大当たり）を多数出しているにもかかわらず来店者に十分なアピールができないなどの問題が指摘されていた。
【０００７】
そこで、本発明の目的は、狭いスペースを効果的に利用し、客も玉箱を近くに整然と置け、店側も入賞（大当たり）を十分に来場者にアピールでき、玉箱を運搬するにも収納台がそのまま運搬車としても使えるため、身体への負荷を軽減し、作業性を向上させる等のポップスタンド付玉箱収納台を提供することにある。
【課題を解決するための手段】
【０００８】
本発明は、上記目的を達成するため、請求項１記載の発明は、パチンコの遊戯機器から所定の入賞時に排出される出玉が収納される玉箱を積み重ねる収納台において、前記収納台は  各フレームで構成され、底部にキャスターを固設し、背面にポップスタンドを具備しコンパクトに構成されたことを特徴とする。
【０００９】
また請求項２記載の発明は、請求項１記載の各フレームは嵌脱が可能でフレーム毎を嵌挿して組み上げることを特徴とする。
【００１０】
また請求項３記載の発明は、請求項１記載の各フレームはフレーム毎を溶接やねじ止め等で結合して組み上げることを特徴とする。
【００１１】
また請求項４記載の発明は、請求項１記載のポップスタンド（ホップ広告板とも言う）を挿入溝に差し込むことを特徴とする。
【００１２】
また請求項５記載の発明は、請求項１記載の各フレームの一種類である１段フレームにアタッチメントを装着することで既存の玉箱台車の孔部に、前記アタッチメントの挿入部を嵌挿して組み上げ、挿入部の位置を変えることで各種の玉箱台車に対応できることを特徴とする。
【００１３】
また請求項６記載の発明は、請求項１記載の各フレームのうち底部フレームと取手フレームの１段フレームや２段フレームの玉箱を載せる両アームには先端部にストッパーを固接したことを特徴とする。
【００１４】
また請求項７記載の発明は、請求項１記載の各フレームのうち底部フレームと取手フレームの中間の第１フレームや第２フレームの玉箱を載せる両アーム間の位置は既存の玉箱を架置でき、前記両アームに玉箱の両把手を架置することを特徴とする。
【００１５】
また請求項８記載の発明は、請求項１記載の底部フレームの底部にキャスターを固設したことで、各フレームの一種類の取手フレームを嵌挿して玉箱運搬台車として使用できることを特徴とする。
【００１６】
また請求項９記載の発明は、請求項１記載のポップスタンド付玉箱収納台の材質は鉄やステンレスやアルミニューム等の金属類及び強化プラスチック等で製造し、赤色やその他の色で着色することを特徴とする。
【発明の効果】
【００１７】
本発明の請求項１記載の発明によれば、パチンコの遊戯機器から所定の入賞時に排出される出玉が収納される玉箱を積み重ねる収納台において、前記収納台は  各フレームで構成され、底部にキャスターを固設し、背面にポップスタンドを具備しコンパクトに構成された。
【００１８】
また請求項２記載の発明によれば、各フレームは嵌脱が可能でフレーム毎を嵌挿して組み上げる。
【００１９】
また請求項３記載の発明によれば、各フレームはフレーム毎を溶接やねじ止め等で結合して組み上げる。
【００２０】
また請求項４記載の発明によれば、ポップスタンド（ホップ広告板とも言う）を挿入溝に差し込む。
【００２１】
また請求項５記載の発明によれば、各フレームの一種類である１段フレームにアタッチメントを装着することで既存の玉箱台車の孔部に、前記アタッチメントの挿入部を嵌挿して組み上げ、挿入部の位置を変えることで各種の玉箱台車に対応できる。
【００２２】
また請求項６記載の発明によれば、各フレームのうち底部フレームと取手フレームの１段フレームや２段フレームの玉箱を載せる両アームには先端部にストッパーを固接した。
【００２３】
また請求項７記載の発明によれば、各フレームのうち底部フレームと取手フレームの中間の第１フレームや第２フレームの玉箱を載せる両アーム間の位置は既存の玉箱を架置でき、前記両アームに玉箱の両把手を架置する。
【００２４】
また請求項８記載の発明によれば、底部フレームの底部にキャスターを固設したことで、各フレームの一種類の取手フレームを嵌挿して玉箱運搬台車として使用できる。
【００２５】
また請求項９記載の発明によれば、ポップスタンド付玉箱収納台の材質は鉄やステンレスやアルミニューム等の金属類及び強化プラスチック等で製造し、赤色やその他の色で着色する。
【発明を実施するための最良の形態】
【００２６】
フレームで構成されたコンパクトな玉箱収納台にポップスタンドを具備し底部にキャスターを固設することで実現した。
【実施例】
【００２７】
以下に実地例を挙げ、本発明のポップスタンド付玉箱収納台について、図面を参照して詳細に説明する。
【００２８】
図１は、この発明に係わるポップスタンド付玉箱収納台の斜視図である。
【００２９】
図２は、この発明に係わるポップスタンド付玉箱収納台の側面図である。
【００３０】
図３は、この発明に係わるポップスタンド付玉箱収納台を既存の玉箱台車との結合の斜視図である。
【００３１】
図４は、この発明に係わるポップスタンド付玉箱収納台を既存の玉箱台車との結合の側面図である。
【００３２】
図1と図２において、ポップスタンド付玉箱収納台１において、各フレームは下部から底面フレーム３と１段フレーム４と２段フレーム５と取手フレーム６で構成され、底部に４個のキャスター７を固設し、背面にポップスタンド２を具備し、コンパクトに構成されたている。
【００３３】
前記、２段フレーム５の上に同一のフレームを追加することで３段フレーム、４段フレームと増やすことができる。
【００３４】
遊戯台の入賞（大当たり）のパチンコ玉を収納できる分の玉数を入れられる箱のパチンコ玉箱１２は１箱で１８００個から２０００個のパチンコ玉１３を収納できる。
【００３５】
前記、パチンコ玉箱１２には持ち運びがし易い様にパチンコ玉箱１２の左右に指がかかる把手１４が成形されている。
【００３６】
パチンコ玉箱１２は各フレームのうち底面フレーム３では載置するだけだが、１段フレーム４ではアーム１６に２段フレーム５ではアーム１６にそれぞれ架置する。
【００３７】
１段フレーム４と２段フレーム５のアーム１６の先端部には滑止のストッパー８が固設されている。
【００３８】
底面フレーム３の背面上部両端に嵌挿凹孔１０を定設し、１段フレーム４の背面下部両端に嵌挿凸部１１を定設して、嵌挿凸部１１を嵌挿凹孔１０に嵌挿することで底面フレーム３と１段フレーム４が結合する。
【００３９】
また、１段フレーム４の背面上部両端に嵌挿凹孔１０を定設して、２段フレーム５の背面下部両端に嵌挿凸部１１を定設して、嵌挿凸部１１を嵌挿凹孔１０に嵌挿することで１段フレーム４と２段フレーム５が結合する。
【００４０】
２段フレーム５の背面上部両端の嵌挿凹孔１０に取手フレーム６の背面下部両端に定設された嵌挿凸部１１を嵌挿することで２段フレーム５と取手フレーム６が結合する。
【００４１】
また、２段フレーム５の背面上部両端の嵌挿凹孔に２段フレーム５と同一のフレームの嵌挿凸部１１を嵌挿すれば３段フレームとなり、この方法によって段を増やすことができる。
【００４２】
前記、各フレームの底面フレーム３と１段フレーム４と２段フレーム５と取手フレーム６はそれぞれの嵌挿凸部１１を嵌挿凹孔１０に嵌挿することで結合し、嵌脱も容易であるが、嵌脱をしない場合は、前記各フレームを溶接やねじ止め等で結合することもできる。
【００４３】
一つ目のパチンコ玉箱１２ａは底面フレーム３の底板の上に載置し、二つ目のパチンコ玉箱１２ｂは１段フレーム４のアーム１６上にパチンコ玉箱１２の把手１４を架置する。
【００４４】
二つ目のパチンコ玉箱１２ｃは２段フレーム５のアーム１６上にパチンコ玉箱１２の把手１４を架置する。
【００４５】
ポップスタンド付玉箱収納台１にパチンコ玉箱１２を架置した状態で運搬する時にパチンコ玉箱１２の把手１４がアーム１６上を滑動して落下するのを防止するためにアーム１６の先端部にストッパー８が固設され、把手１４をストッパー８で滑止する。
【００４６】
ポップスタンド２は１段フレーム４や２段フレーム５の裏面に固設された挿入溝９の溝に沿って挿入しポップスタンド２を立設し２段フレーム５の上部から絵や文字の情報を表示する。
【００４７】
パチンコ玉箱１２を架置して運搬する時は、ポップスタンド２を挿入溝９の溝から抜出し、代わりに取手フレーム６の背面下部両端に定設された嵌挿凸部１１を２段フレーム４の背面上部両端に嵌挿凹孔１０に嵌挿して運搬用ハンドルとして使用し、キャスター７によってスムーズに移動ができる。
【００４８】
本発明のポップスタンド付玉箱収納台１の材質は鉄やステンレスやアルミニューム等の金属類及び強化プラスチック等の材料で製作され、赤色やその他の色で着色する、特に赤色の着色はパチンコ玉箱が赤色で着色されているため一体感を与えて望ましい。
【００４９】
ポップスタンド（ホップ広告板とも言う）は来店者に入賞（大当たり）が多いと思ってもらえることは営業成績に直結するため、従来は図４の２ａ、２ｂで示すように入賞（大当たり）のパチンコ玉を収納したパチンコ玉箱１２に差し込んでいた、しかしパチンコ玉を収納したパチンコ玉箱１２を２段３段と直接重ねるとポップスタンドが折り曲がったり外れたりしていたが本発明によって解決される。
【００５０】
図３、図４において、既存の玉箱台車１７との結合は、１段フレーム４に定設している背面下部両端の嵌挿凸部１１をアタッチメント１５の上部両端の嵌挿凹孔１０に嵌挿する。
【００５１】
前記、アタッチメント１５は上部両端の嵌挿凹孔１０を定設し、下部両端に嵌挿凸部１１を具備する。
【００５２】
アタッチメント１５の下部両端に具備する嵌挿凸部１１の大きさや位置などは既存の玉箱台車１７の上部両端の孔部１８に合わせたものを準備するだけで多種の既存の玉箱台車      １７に本発明のポップスタンド付玉箱収納台を装着できる。
【００５３】
既存の玉箱台車１７の背面上部両端の孔部１８は本来は既存の運搬用のハンドルの台車取手１９を嵌挿して使用するもので、本発明はこの孔を利用するものである。    
【００５４】
１段フレーム４の背面上部両端に嵌挿凹孔１０を定設し、２段フレーム５の背面下部両端に嵌挿凸部１１を定設して、嵌挿凸部１１を嵌挿凹孔１０に嵌挿することで１段フレーム４と２段フレーム５が結合する。
【００５５】
２段フレーム５の背面上部両端の嵌挿凹孔１０に取手フレーム６の背面下部両端に定設された嵌挿凸部１１を嵌挿することで２段フレーム５と取手フレーム６が結合する。
【００５６】
また、２段フレーム５の背面上部両端の嵌挿凹孔に２段フレーム５と同一フレームの嵌挿凸部１１を嵌挿すれば３段フレームとなり、この方法によって段を増やすことができる。
【００５７】
嵌挿凸部１１を嵌挿凹孔１０から嵌脱することもできる。
【００５８】
前記、１段フレーム４と２段フレーム５と取手フレーム６はそれぞれの嵌挿凸部１１を嵌挿凹孔１０に嵌挿することで結合し、嵌脱も容易であるが、嵌脱をしない場合は、前記各フレームを溶接やねじ止め等で結合することもできる。
【００５９】
一つ目のパチンコ玉箱１２ａは底面フレーム３の底板の上に載置し、二つ目のパチンコ玉箱１２ｂは１段フレーム４のアーム１６上にパチンコ玉箱１２の把手１４を架置する。
【００６０】
二つ目のパチンコ玉箱１２ｃは２段フレーム５のアーム１６上にパチンコ玉箱１２の把手１４を架置する。
【００６１】
ポップスタンド付玉箱収納台にパチンコ玉箱１２を架置して運搬する時にパチンコ玉箱１２の把手１４がアーム１６上を滑動して落下するのを防止するためにアーム１６の先端部にストッパー８が固設され、把手１４をストッパー８で滑止する。
【００６２】
ポップスタンド２は１段フレーム４や２段フレーム５の裏面に固設された挿入溝９の溝に沿って挿入しポップスタンド２を立設し２段フレーム５の上部から絵や文字の情報を表示する。
【００６３】
パチンコ玉箱１２を架置して運搬する時は、ポップスタンド２を挿入溝９の溝から抜出し、代わりに取手フレーム６の背面下部両端に定設された嵌挿凸部１１を２段フレーム４の背面上部両端に嵌挿凹孔１０に嵌挿し、運搬用ハンドルとし、キャスター７によって本発明のポップスタンド付玉箱収納台にパチンコ玉箱１２を架置した状態でスムーズに運搬することができる。
【産業上の利用可能性】
【００６４】
本発明は、パチンコの遊戯機器から所定の入賞時に排出される出玉が収納される玉箱を積み重ねる収納台で、フレーム構成で嵌脱が容易で、ポップスタンドを具備し、キャスターによって運搬できるなどの用途に適用できる。
【図面の簡単な説明】
【００６５】
【図１】この発明に係わるポップスタンド付玉箱収納台全体の斜視図である。
【図２】この発明に係わるポップスタンド付玉箱収納台の側面図である。
【図３】この発明に係わるポップスタンド付玉箱収納台を既存の玉箱台車との結合の斜視図である。
【図４】この発明に係わるポップスタンド付玉箱収納台を既存の玉箱台車との結合の側面図である。
【符号の説明】
【００６６】
１  ポップススタンド付玉箱収納台
２  ポップスタンド
２ａ従来のポップスタンド
３  底面フレーム
４  １段フレーム
５  ２段フレーム
６  取手フレーム
７  キャスター
８  ストッパー
９  挿入溝
１０嵌挿凹孔
１１嵌挿凸部
１２パチンコ玉箱
１３パチンコ玉
１４把手
１５アタッチメント
１６アーム
１７既存の玉箱台車
１８孔部
１９既存の玉箱台車の取手
【図１】
2007014573.tif 000003
【図２】
2007014573.tif 000004
【図３】
2007014573.tif 000005
【図４】
2007014573.tif 000006